(57)【特許請求の範囲】
【請求項１】
上下動可能に支持された複数の塗布部を塗布位置に下降させた後上昇させる塗布動作を、駆動源が同一の昇降手段により行なう接着剤塗布装置であって、
前記複数の塗布部を、それぞれ選択的に前記塗布位置より高い位置に、前記昇降手段とは独立に移動させ保持する保持手段を配設したことを特徴とする接着剤塗布装置。
【請求項２】
前記各塗布部に、横方向案内部を有する係合ガイドがそれぞれ形成されていると共に、
前記各塗布部を、各係合ガイドの横方向案内部に係合された第１端部、これに対向する位置の第２端部、及び、これら両端部の中間より下方に位置する第３端部を有する回動部材を、該両端部の中間に位置する回動軸を支点に回動させて上下動させる場合、
前記昇降手段が、下降時に前記第２端部を押し下げると共に、上昇時に所定高さで該押し下げを解除する、前記駆動源により下降・上昇される当接部を備えていることを特徴とする請求項１に記載の接着剤塗布装置。
【請求項３】
前記保持手段が、上昇時に前記第３端部に当接し、前記回動部材を前記第１端部を上昇させる方向に回動させる案内部材と、該案内部材を昇降動させ、所定高さに維持する第２昇降手段とを有していることを特徴とする請求項２に記載の接着剤塗布装置。
【請求項４】
前記当接部が、下端に前記第２端部に当接する当接面を有すると共に、上端に前記駆動源により回転されるボールねじが連結されていることを特徴とする請求項２に記載の接着剤塗布装置。
【発明の詳細な説明】
【技術分野】
【０００１】
本発明は、接着剤塗布装置、特に塗布ヘッドに搭載されている同一の駆動源により動作される複数の塗布部の中から任意の塗布部を選択して基板上に接着剤を塗布する際に適用して好適な接着剤塗布装置に関する。
【背景技術】
【０００２】
従来より、プリント基板に電子部品を搭載（実装）する際には、電子部品を基板上に接着剤で仮止めすることが行なわれており、そのために実装基板を生産する部品実装ラインには接着剤塗布装置が用意されている。
【０００３】
このような接着剤塗布装置としては、例えば特許文献１には、接着剤が充填されたシリンジとその下端のノズル等からなる塗布部を、偏心カムの回転に従動するカムフォロワに連結されたリンク機構により上下動可能とし、該塗布部の下動時に、ノズルから吐出させた接着剤を基板上に塗布するものが開示されている。
【０００４】
又、このような偏心カムに連動するリンク機構により塗布部を上下動させ、基板上に接着剤を塗布する接着剤塗布装置としては、位相差を変えて配置された複数の偏心カムを同一のモータ（駆動源）により回転させ、各偏心カムに対応して配設されている複数の塗布部を順次上下動させるようにしたものがある。
【０００５】
【特許文献１】特開平１１−１９７５８８号公報
【発明の開示】
【発明が解決しようとする課題】
【０００６】
しかしながら、前記特許文献１に開示されているような偏心カムを介して上下動させる塗布部を、同一のモータで回転される偏心カムの位相を変えて複数配置してなる接着剤塗布装置では、位相差で決まる順番で対応する塗布部を上下動させることになるため、任意の塗布部を選択して接着剤の塗布を行なうことができない上に、これがタイムロスの原因となるため、塗布動作の効率化を図ることができないという問題があった。
【０００７】
本発明は、前記従来の問題点を解決するべくなされたもので、同一駆動源により上下動される複数の塗布部の中から任意の塗布部を選択使用でき、塗布動作を効率良く行なうことができる接着剤塗布装置を提供することを課題とする。
【課題を解決するための手段】
【０００８】
本発明は、上下動可能に支持された複数の塗布部を塗布位置に下降させた後上昇させる塗布動作を、駆動源が同一の昇降手段により行なう接着剤塗布装置であって、前記複数の塗布部を、それぞれ選択的に前記塗布位置より高い位置に、前記昇降手段とは独立に移動させ保持する保持手段を配設したことにより、前記課題を解決したものである。
【０００９】
又、本発明においては、前記各塗布部に、横方向案内部を有する係合ガイドがそれぞれ形成されていると共に、前記各塗布部を、各係合ガイドの横方向案内部に係合された第１端部、これに対向する位置の第２端部、及び、これら両端部の中間より下方に位置する第３端部を有する回動部材を、該両端部の中間に位置する回動軸を支点に回動させて上下動させる場合、前記昇降手段が、下降時に前記第２端部を押し下げると共に、上昇時に所定高さで該押し下げを解除する、前記駆動源により下降・上昇される当接部を備えるようにしてもよい。
【００１０】
その際、前記保持手段が、上昇時に前記第３端部に当接し、前記回動部材を前記第１端部を上昇させる方向に回動させる案内部材と、該案内部材を昇降動させ、所定高さに維持する第２昇降手段とを有しているようにしてもよく、又、前記当接部が、下端に前記第２端部に当接する当接面を有すると共に、上端に前記駆動源により回転されるボールねじが連結されているようにしてもよい。
【発明の効果】
【００１１】
本発明によれば、駆動源が同一の昇降手段より、複数の塗布部をそれぞれ上下動させて各塗布部による塗布動作を可能とすると共に、該昇降手段とは別に設けた保持手段により、これら塗布部を選択的に塗布位置より高い位置に上昇させ保持できるようにしたので、１又は２以上の任意の塗布部を選択使用して接着剤を塗布することができる。
【００１２】
従って、常に一定の順番で塗布部を上下動させることしかできなかった従来の接着剤塗布装置に比べ、任意の塗布部を使うことができるため塗布動作を効率良く行なうことが可能となる。
【発明を実施するための最良の形態】
【００１３】
以下、図面を参照して、本発明の実施の形態について詳細に説明する。
【００１４】
図１には、本発明に係る一実施形態の接着剤塗布装置が備えている塗布ヘッドの要部を模式的に示す。
【００１５】
この塗布ヘッド自体の図示は省略するが、該塗布ヘッドは図示しないＸＹ駆動手段によりＸＹ方向に移動可能になっている。
【００１６】
便宜上後述するが、この塗布ヘッドには、接着剤が充填されているシリンジを含む塗布部１０が複数搭載されており、各塗布部１０は上下動可能に支持されていると共に、自重により下方に付勢されている。
【００１７】
各塗布部１０には、図１に１つを代表させて示すように圧力調整装置１２が付設され、下方にある基板Ｓ上に該塗布部１０を下降させた状態でシリンジ内を加圧することにより、その下端から接着剤を吐出させ、塗布できるようになっている。
【００１８】
又、この塗布部１０には、図中横方向に延びる溝部（案内部）を有するリニアガイド（係合ガイド）１４が固定されている。
【００１９】
又、上記塗布ヘッドには、回動軸１６を支点に上下方向に回動（揺動）可能なアーム部を有する略Ｔ字形状の回動プレート（回動部材）１８が、アーム部を横向きにして配設されている。この回動プレート１８は、前記リニアガイド１４の溝部を構成する上下案内面に係合（接触）する第１ベアリング（第１端部）１８Ａと、前記回動軸１６を挟んで前記第１ベアリング１８Ａと対向する位置の第２ベアリング（第２端部）１８Ｂと、これら両ベアリング１８Ａ、１８Ｂの中間位置のアーム部に交差し、回動軸１６の下方に延びるＴ字形状の脚部の下端に位置する第３ベアリング（第３端部）１８Ｃとを有している。これら各ベアリングは接触（当接）時の摩擦を低減させる働きをしている。
【００２０】
又、この塗布ヘッドには、下降時に上記第２ベアリング１８Ｂを押し下げ、任意高さに停止させると共に、上昇時に所定高さで該押し下げを解除する昇降手段２０が配設されている。
【００２１】
この昇降手段２０は、下端に第２ベアリング１８Ｂへの当接面を有するハンマ（当接部）２２と、該ハンマ２２の上端に連結固定され、上方に延在されたボールねじ２４とを備えており、該ボールねじ２４が、前記塗布ヘッドに固定されたモータ（駆動源）２６で回転されることにより、該ハンマ２２が上下動可能になっている。
【００２２】
本実施形態においては、前記モータ２６を回転させ、ボールねじ２４に取付けられているハンマ２２を下降させて第２ベアリング１８Ｂに当接させることにより、該第２ベアリング１８Ｂを押し下げる力を発生させ、回動プレート１８を時計回りに回動させる。この回動に伴い、図中左側の第１ベアリング１８Ａは、係合されているリニアガイド１４に対して上方向に力を加えることになり、該リニアガイド１４を介して第１ベアリング１８Ａに取付けられている塗布部１０を、図２に示すように上昇させることができる。
【００２３】
逆に、図２の上昇時にモータ２６を逆回転させ、ハンマ２２を上昇させると塗布部１０は自重で落下し、第１ベアリング１８Ａには下方向に力が加わるため、第２ベアリング１８Ｂは上方向に移動する。その結果、回動プレート１８は反時計回りに回動することになり、第２ベアリング１８Ｂに対するハンマ２２による押し下げが、所定高さで解除されると、塗布部１０は前記図１に示した塗布位置である基板Ｓの上面に下降する。
【００２４】
又、本実施形態においては、前記塗布ヘッドには、上記昇降手段２０とは独立に、前記回動プレート１８を図１の状態から時計方向に回動させ、塗布部１０を塗布位置より高い位置に上昇させ、その状態に保持することができる保持手段３０が配設されている。
【００２５】
この保持手段３０は、塗布ヘッドの所定位置に固定されたエアシリンダ（第２昇降手段）３２と、該エアシリンダ３２により昇降動可能な、前記第３ベアリング１８Ｃに近接配置された案内板（案内部材）３４とで構成されている。従って、シリンダロッド３２Ａを縮めて、この案内板３４を図１の状態から上昇させていくと、左下方に傾斜された案内面３４Ａが該第３ベアリングに当接し、これを左方向に案内しながら押圧することになる。
【００２６】
その結果、回動プレート１８は時計方向に回動されるため、図３に示すように塗布部１０を上昇させると同時に、第２ベアリング１８Ｂをハンマ２２の到達最下点より下に下降させることができ、その際にエアシリンダ３２を停止させ、案内板３４をこの状態に維持することにより、ハンマ２２の押し下げとは関係なく塗布部１０を所定高さに保持することができる。
【００２７】
従って、１つの塗布部１０では、図１、図２に示したように、案内板３４を下げた状態でハンマ２２を上下動させることにより、塗布動作を繰り返すことができると共に、図３のように案内板３４を上昇させた状態にすると、ハンマ２２の上下動とは関係なく塗布動作を停止させることができる。
【００２８】
前述した如く、本実施形態においては、以上詳述した基本的な動作機能を有する塗布部１０が塗布ヘッドに複数搭載され、同一のモータ（駆動源）で上下動されるハンマ２２により各塗布部１０が上下動され、塗布動作が行なわれるようになっている。
【００２９】
図４には、第１〜第３の３つの塗布部１０Ａ〜１０Ｃが搭載され、ハンマ本体に連結された第１〜第３の３つのハンマ（当接部）２２Ａ〜２２Ｃにより同一高さに押し下げられるようになっている例を示す。これらハンマ２２Ａ〜２２Ｃは、ハンマ本体４０として連結されており、該ハンマ本体４０は、ここでの図示は省略するが、前記図１等に示した１つのハンマ２２と同様に、モータ２６に回転されるボールねじ２４により上下動されるようになっている。
【００３０】
従って、ハンマ本体４０を使って同時に塗布動作を行なうことができると共に、図４には第１、第２塗布部１０Ａ、１０Ｂについて示したが、いずれかの案内板３４を上昇させ、対応する塗布部を上昇・保持することにより、それ以外の塗布部により塗布を行なうことができる。
【００３１】
図５には、図４に示した第１、第２塗布部１０Ａ、１０Ｂを、それぞれ対応する案内板３４を上昇させて保持し、第３塗布部１０Ｃを選択した場合について、ハンマ本体４０を上昇させて基板Ｓの塗布面に塗布している状態を示す。
【００３２】
以上詳述した如く、本実施形態によれば、同一のモータ２６により上下動され３つの塗布部１０Ａ〜１０Ｃを同時に使用して塗布することができると共に、１つ又は２つを任意に選択して塗布することもできる。又、塗布部を選択使用することにより、塗布動作の負荷を低減できると共に、効率化を図ることができる。
【００３３】
なお、実施形態では、塗布部１０の上下動を、モータ２６で回転されるボールねじ２４を介して行なう例を示したが、ハンマ本体４０を昇降動させることができるものであれば任意である。又、保持手段も、案内板３４とエアシリンダ３２を組合せたものに限定されない。
【００３４】
又、実施形態では、塗布部１０が自重により下方に付勢されている例を示したが、ばね等の付勢手段を別途に設けるようにしてもよい。又、回動プレート１８も、第１ベアリング１８Ａを上昇・保持できる構造であれば、Ｔ字形状でなくともよい。
【図面の簡単な説明】
【００３５】
【図１】本発明に係る一実施形態の接着剤塗布装置に適用される１つの塗布部と、塗布時の動作機構の概要を示す模式図
【図２】上記塗布部の上昇時の状態を示す、図１に相当する模式図
【図３】上記塗布部の保持状態を示す、図１に相当する模式図
【図４】複数の塗布部の一部を選択した状態を示す説明図
【図５】図４に示した選択された塗布部により塗布している状態を示す説明図
【符号の説明】
【００３６】
１０…塗布部
１２…圧力調整装置
１４…リニアガイド
１６…回動軸
１８…回動プレート（回動部材）
１８Ａ…第１ベアリング（第１端部）
１８Ｂ…第２ベアリング（第２端部）
１８Ｃ…第３ベアリング（第３端部）
２０…昇降手段
２２…ハンマ
２４…ボールねじ
２６…モータ（駆動源）
３０…保持手段
３２…エアシリンダ
３４…案内板（案内部材）
４０…ハンマ本体
【図１】
0005037240.tif 000002
【図２】
0005037240.tif 000003
【図３】
0005037240.tif 000004
【図４】
0005037240.tif 000005
【図５】
0005037240.tif 000006